(57)【特許請求の範囲】
【請求項１】
第１電気機器を構成する導電性の第１シールドケースと第２電気機器を構成する第２シールドケースとに対し全周に亘って液密状に弾性接触する防水機能部品と、
前記第１シールドケースと前記第２シールドケースとに導通可能に接触するシールド機能部品とを備え、
前記防水機能部品と前記シールド機能部品とを一体化した形態であり、前記第１シールドケースと前記第２シールドケースとの間において前記第１シールドケースと前記第２シールドケースが互いに平行に対向する対向空間内に配されて、前記第１電気機器と前記第２電気機器を接続する導電路を全周に亘って包囲するようになっており、
前記シールド機能部品の少なくとも一部が、前記防水機能部品に形成した収容空間又は収容溝内に収容されており、
前記収容空間と前記収容溝が、前記防水機能部品のうち前記第１シールドケースと前記前記第２シールドケースとの対向方向において前記第１シールドケースと対向する面及び前記第２シールドケースと対向する面を凹ませた形態である機器用弾性シールド部材。
【請求項２】
前記シールド機能部品が、前記収容凹部内又は前記収容溝内において弾性変形可能である請求項１記載の機器用弾性シールド部材。
【請求項３】
前記防水機能部品と前記シールド機能部品がインサート成形によって一体化されている請求項１又は請求項２記載の機器用弾性シールド部材。
【請求項４】
前記シールド機能部品が、前記第１シールドケースと前記第２シールドケースに対し弾性変形した状態で当接可能な弾性接触片を有している請求項１ないし請求項３のいずれか１項に記載の機器用弾性シールド部材。
【請求項５】
前記シールド機能部品が、前記防水機能部品を弾性変形させるように姿勢を変化させた状態で前記第１シールドケース及び前記第２シールドケースに接触するようになっている請求項１ないし請求項４のいずれか１項に記載の機器用弾性シールド部材。
【発明の詳細な説明】
【技術分野】
【０００１】
本発明は、機器用弾性シールド部材に関するものである。
【背景技術】
【０００２】
特許文献１には、電気自動車やハイブリッド自動車において、インバータ装置とモータを、ワイヤハーネスを使用せずに直結型のコネクタによって接続する技術が開示されている。上記文献に記載されたコネクタは、インバータ装置及びモータをそれぞれ個別の金属製筐体に収容し、各金属製筐体にそれぞれコネクタを固定した構成となっている。そして、インバータ装置をモータの近くに配置した状態で、双方のコネクタ同士を嵌合接続している。これにより、インバータ装置とモータを含む装置全体の小型が実現されている。
【先行技術文献】
【特許文献】
【０００３】
【特許文献１】特開２００７−２８０９１３号公報
【発明の概要】
【発明が解決しようとする課題】
【０００４】
電気自動車やハイブリッド自動車では、走行中の振動に起因する干渉を回避するために、インバータ装置とモータを隙間を空けて配置する必要がある。ところが、インバータ装置とモータを離間させると、インバータ装置側の端子金具やモータ側の端子金具が露出するため、その端子金具を流れる電流に重畳するノイズが外部へ漏れ出してしまう。また、インバータ装置とモータが、被水の虞がある位置に配置される場合には、端子金具への被水対策が必要となる。
【０００５】
本発明は上記のような事情に基づいて完成されたものであって、ノイズ対策機能と防水対策機能を兼ね備えた機器用弾性シールド部材を提供することを目的とする。
【課題を解決するための手段】
【０００６】
本発明は、
第１電気機器を構成する導電性の第１シールドケースと第２電気機器を構成する第２シールドケースとに対し全周に亘って液密状に弾性接触する防水機能部品と、
前記第１シールドケースと前記第２シールドケースとに導通可能に接触するシールド機能部品とを備え、
前記防水機能部品と前記シールド機能部品とを一体化した形態であり、前記第１シールドケースと前記第２シールドケースとの間において前記第１シールドケースと前記第２シールドケースが互いに平行に対向する対向空間内に配されて、前記第１電気機器と前記第２電気機器を接続する導電路を全周に亘って包囲するようになっており、
前記シールド機能部品の少なくとも一部が、前記防水機能部品に形成した収容空間又は収容溝内に収容されており、
前記収容空間と前記収容溝が、前記防水機能部品のうち前記第１シールドケースと前記前記第２シールドケースとの対向方向において前記第１シールドケースと対向する面及び前記第２シールドケースと対向する面を凹ませた形態であるところに特徴を有する。
【発明の効果】
【０００７】
防水機能部品は、第１シールドケースと第２シールドケースに液密状に密着した状態で、導電路を全周に亘って包囲するので、導電路に水分が付着することを防止する。また、シールド機能部品は、第１シールドケースと第２シールドケースに導通可能に接触した状態で、導電路を全周に亘って包囲するので、導電路を流れる電流に重畳するノイズが漏出することを防止する。機器用弾性シールド部材は、防水機能部品とシール部機能部品を一体化させた形態となっているので、組付け時の作業性に優れている。
【図面の簡単な説明】
【０００８】
【図１】参考例１の機器用弾性シールド部材をモータ（第１電気機器）に取り付けた状態をあらわす断面図
【図２】モータにインバータ装置を嵌合した状態をあらわす断面図
【図３】参考例１の機器用弾性シールド部材の平面図
【図４】実施例１の機器用弾性シールド部材の平面図
【図５】図４のＡ−Ａ線断面図
【図６】実施例１において機器用弾性シールド部材を第１シールドケースと第２シールドケースの間に取り付けた状態をあらわすＡ−Ａ線相当断面図
【図７】実施例２の機器用弾性シールド部材の断面図
【図８】実施例３の機器用弾性シールド部材の断面図
【図９】実施例４の機器用弾性シールド部材の断面図
【図１０】実施例５の機器用弾性シールド部材の平面図
【図１１】図１０のＢ−Ｂ線断面図
【図１２】図１０のＣ−Ｃ線断面図
【図１３】実施例５において機器用弾性シールド部材をモータケースとインバータケースとの間に取り付けた状態をあらわすＣ−Ｃ線相当断面図
【図１４】実施例６の機器用弾性シールド部材の平面図
【図１５】図１４のＤ−Ｄ線断面図
【図１６】図１４のＥ−Ｅ線断面図
【図１７】実施例６において機器用弾性シールド部材をモータケースとインバータケースとの間に取り付けた状態をあらわすＥ−Ｅ線相当断面図
【発明を実施するための形態】
【０００９】
（ａ）本発明は、前記防水機能部品と前記シールド機能部品が、互いに別々に成形され、前記防水機能部品と前記シールド機能部品には、互いに嵌合することで前記防水機能部品と前記シールド機能部品を組付け状態に保持する嵌合部が形成されていてもよい。
この構成によれば、双方の嵌合部同士を嵌合させることにより、防水機能部品とシールド機能部品を組み付け状態に確実に保持することができる。防水機能部品とシールド機能部品をインサート成形によって一体化させる場合に比べると、防水機能部品を成形するための金型の構造を簡素化することができる。
【００１０】
（ｂ）本発明は、前記防水機能部品と前記シールド機能部品がインサート成形によって一体化されていてもよい。
この構成によれば、別体部品として成形された防水機能部品とシールド機能部品を組み付ける場合に比べると、防水機能部品とシールド機能部品の形状を簡素化することができる。
【００１１】
（ｃ）本発明は、前記シールド機能部品が、前記第１シールドケースと前記第２シールドケースに対し弾性変形した状態で当接可能な弾性接触片を有していてもよい。
この構成によれば、弾性接触片の弾性復元力により、シールド機能部品と両シールドケースを確実に接触させることができる。
【００１２】
（ｄ）本発明は、前記シールド機能部品が、前記防水機能部品を弾性変形させるように姿勢を変化させた状態で前記第１シールドケース及び前記第２シールドケースに接触するようになっていてもよい。
この構成によれば、防水機能部品の弾性復元力により、シールド機能部品と両シールドケースを確実に接触させることができる。
【００１３】
＜参考例１＞
以下、本発明の参考例１について図１〜図３を参照して説明する。本参考例１の機器用弾性シールド部材１０は、電気自動車やハイブリッド自動車等のような電力を利用して走行する車両に設けられ、モータ１００（請求項に記載の第１電気機器）と、インバータ装置２００（請求項に記載の第２電気機器）との間に介装される複合機能部材である。
【００１４】
モータ１００は、通電により回転駆動力を発生する原動機本体（図示省略）と、原動機本体を包囲する導電性（金属製）のモータケース１０１（請求項に記載の第１シールドケース）と、原動機本体と導通可能に接続された複数の第１端子金具１０２（請求項に記載の導電路）とを備えている。モータケース１０１を構成する水平な上面壁には、モータケース１０１の内外を連通させる第１開口部１０３が形成されている。
【００１５】
第１開口部１０３には、合成樹脂製の第１端子台１０４が固定されている。第１端子台１０４は、端子保持部１０５と、端子保持部１０５から上方へ突出したフード部１０６とを備えている。フード部１０６は、第１開口部１０３を貫通してモータケース１０１の上方へ突出している。第１端子台１０４には、複数の第１端子金具１０２がインサート成形により取り付けられている。第１端子金具１０２は、端子保持部１０５に図示しないボルトで固定される基端部１０７と、基端部１０７から上向きに突出してフード部１０６内に収容されるタブ１０８とを備えた雄形の端子である。タブ１０８は、フード部１０６と同様、モータケース１０１の上面（上面壁）よりも上方（モータケース１０１の外部）へ突出している。
【００１６】
インバータ装置２００は、直流電力を交流電力に変換するための電源回路（図示省略）と、電源回路を包囲する導電性（金属製）のインバータケース２０１（請求項に記載の第２シールドケース）と、電源回路と導通可能に接続された複数の第２端子金具２０２（請求項に記載の導電路）とを備えている。インバータケース２０１を構成する水平な下面壁には、インバータケース２０１の内外を連通させる第２開口部２０３が形成されている。第２開口部２０３には、合成樹脂製の第２端子台２０４が固定されている。第２端子台２０４は、インバータケース２０１の下方へ突出する端子収容部２０５を有する。端子収容部２０５内には、雌形の第２端子金具２０２が収容されている。第２端子金具２０２は、端子収容部２０５と同様、インバータケース２０１の下面（下面壁）よりも下方（インバータケース２０１の外部）へ突出している。
【００１７】
インバータ装置２００はモータ１００の上方に配され、端子収容部２０５がフード部１０６内に嵌合されるとともに、複数の第１端子金具１０２のタブ１０８が、端子収容部２０５内に進入して複数の第２端子金具２０２と個別に導通可能に接続されている。この第１端子金具１０２と第２端子金具２０２を介すことにより、モータ１００とインバータ装置２００が導通可能に接続されている。また、モータケース１０１の上面壁とインバータケース２０１の下面壁は、比較的狭い対向空間３００を明けて、直接、接触しないように上下に対向する位置関係となっている。
【００１８】
このようにモータケース１０１とインバータケース２０１との間に対向空間３００を空けるのは、走行中の振動に起因する干渉を回避するためである。ところが、モータケース１０１（モータ１００）とインバータケース２０１（インバータ装置２００）を離間させたことにより、モータ１００側の第１端子金具１０２がモータケース１０１の外部（対向空間３００）に配置され、インバータ装置２００側の第２端子金具２０２がインバータケース２０１の外部（対向空間３００）に配置されることになる。このような配置では、両端子金具１０２，２０２を流れる電流に重畳するノイズが外部へ漏れ出してしまう。また、モータ１００とインバータ装置２００が、被水の虞がある位置に搭載される場合には、両端子金具１０２，２０２への被水対策が必要となる。
【００１９】
そこで、本参考例１では、モータケース１０１とインバータケース２０１との間の対向空間３００に機器用弾性シールド部材１０を介在させている。以下、その構成を説明する。機器用弾性シールド部材１０は、１つの防水機能部品１１と、二対のシールド機能部品１３とから構成されている。防水機能部品１１とシールド機能部品１３は、夫々、別々に製造された部品である。
【００２０】
防水機能部品１１は、ゴム製であり、図３に示すように、平面視形状は略方形の枠状（リング状）をなしている。防水機能部品１１は、前後方向及び左右方向に直線状に長く延びた二対の直線状シール部１１Ｓと、直線状シール部１１Ｓの端部同士を滑らかに繋ぐ略四半円弧形をなす４つの弧状シール部１１Ｒとから構成されている。図１，２に示すように、二対の直線状シール部１１Ｓには、夫々、上下一対の嵌合溝１２（請求項に記載の嵌合部）が形成されている。
【００２１】
シールド機能部品１３は、金属板材を曲げ加工して成形された単一部品である。各シールド機能部品１３は、夫々、板面を上下方向に向けた基板部１４と、基板部１４の上下両端縁から略直角に延出した上下一対の接触板部１５とを備えている。基板部１４は、上下両接触板部１５同士を接近させるような形態で弾性的に湾曲変形し得るようになっている。シールド機能部品１３には、上側の接触板部１５の延出端縁から下方へ略直角に突出する嵌合リブ１６（請求項に記載の嵌合部）と、下側の接触板部１５の延出端縁から上方へ略直角に突出する嵌合リブ１６（請求項に記載の嵌合部）が形成されている。
【００２２】
シールド機能部品１３は、基板部１４を直線状シール部１１Ｓの内側面に密着させるとともに、上下両嵌合リブ１６を直線状シール部１１Ｓの嵌合溝１２に嵌合させることにより、防水機能部品１１に組み付けられている。嵌合溝１２と嵌合リブ１６の係止により、防水機能部品１１とシールド機能部品１３は、組付け状態に保持されて一体化されている。そして、モータ１００にインバータ装置２００を接続する前の状態では、図１に示すように、機器用弾性シールド部材１０は、第１開口部１０３の開口領域と複数の第１端子金具１０２の配置領域を一括して包囲するように配され、モータケース１０１の上面壁の上面（外面）に載置されている。
【００２３】
モータ１００にインバータ装置２００を接続したときの対向空間３００の上下寸法、つまりモータケース１０１の上面とインバータケース２０１の下面との上下間隔は、防水機能部品１１が弾性変形していない自由状態における防水機能部品１１及びシールド機能部品１３の上下寸法より小さく設定されている。したがって、モータ１００にインバータ装置２００を接続すると、ゴム製の防水機能部品１１が上下に圧縮されて弾性変形し、防水機能部品１１の下面と上面が、夫々、全周に亘り、モータケース１０１の上面とインバータケース２０１の下面に対し弾性的に且つ液密状に密着する。
【００２４】
これにより、機器用弾性シールド部材１０と両ケース１０１，２０１とによって区画された封止空間３０１が構成される。この封止空間３０１は対向空間３００の一部であり、封止空間３０１内には、第１端子金具１０２と第２端子金具２０２の接続部分が収容される。この封止空間３０１は、防水機能部品１１によって浸水しないようにシールされているので、封止空間３０１内の両端子金具１０２，２０２は防水状態に保たれる。
【００２５】
また、機器用弾性シールド部材１０には、その直線状シール部１１Ｓの内周面に沿ってシールド機能部品１３が取付けられている。シールド機能部品１３は、機器用弾性シールド部材１０の全周のうち弧状シール部１１Ｒ以外の大部分の領域に配されている。つまり、４つのシールド機能部品１３は、対向空間３００における両端子金具１０２，２０２の接続部分をほぼ全周に亘って包囲する。そして、シールド機能部品１３の上下両接触板部１５は、両ケース１０１，２０１に接触している。ここで、基板部１４は、両ケース１０１，２０１に押されて湾曲状に弾性変形させられているので、この基板部１４の弾性復元力により両接触板部１５は、弾性的に両ケース１０１，２０１に当接する。したがって、両端子金具１０２，２０２を流れる電流に重畳するノイズは、機器用弾性シールド部材１０（封止空間３０１）の外部へ漏れ出す虞がない。
【００２６】
本参考例１の機器用弾性シールド部材１０は、ノイズ対策機能と防水対策機能を兼ね備えたものであって、モータ１００を構成する導電性のモータケース１０１と、インバータ装置２００を構成するインバータケース２０１との間の対向空間３００に配されて、モータ１００とインバータ装置２００を接続する第１端子金具１０２及び第２端子金具２０２を全周に亘って包囲する。そして、機器用弾性シールド部材１０は、モータケース１０１とインバータケース２０１に対し全周に亘って液密状に弾性接触する防水機能部品１１と、モータケース１０１とインバータケース２０１に導通可能に接触するシールド機能部品１３とを一体化した形態である。
【００２７】
防水機能部品１１は、モータケース１０１とインバータケース２０１に液密状に密着した状態で、両端子金具１０２，２０２を全周に亘って包囲するので、両端子金具１０２，２０２に水分が付着することや、モータケース１０１の内部やインバータケース２０１の内部への浸水を防止する。また、シールド機能部品１３は、モータケース１０１とインバータケース２０１に導通可能に接触した状態で、両端子金具１０２，２０２を全周に亘って包囲するので、両端子金具１０２，２０２を流れる電流に重畳するノイズが漏出することを防止する。機器用弾性シールド部材１０は、防水機能部品１１とシールド機能部品１３を一体化させた形態となっているので、組付け時の作業性に優れている。
【００２８】
また、防水機能部品１１とシールド機能部品１３が、互いに別々に成形され、防水機能部品１１とシールド機能部品１３には、互いに嵌合することで防水機能部品１１とシールド機能部品１３を組付け状態に保持する嵌合部（嵌合溝１２と嵌合リブ１６）が形成されている。この構成によれば、嵌合溝１２と嵌合リブ１６を嵌合させることにより、防水機能部品１１とシールド機能部品１３を組み付け状態に確実に保持することができる。また、防水機能部品１１とシールド機能部品１３をインサート成形によって一体化させる場合に比べると、防水機能部品１１を成形するための金型の構造を簡素化することができる。
【００２９】
＜実施例１＞
次に、本発明を具体化した実施例１について図４〜図６を参照して説明する。本実施例１の機器用弾性シールド部材２０は、１つの防水機能部品２１と、１つのシールド機能部品２３とから構成されている。尚、上記参考例１と同じ構成については、同一符号を付し、構造、作用及び効果の説明は省略する。
【００３０】
防水機能部品２１は、ゴム製であり、図４に示すように、平面視形状は略方形の枠状（リング状）をなしている。防水機能部品２１は、前後方向及び左右方向に直線状に長く延びた二対の直線状シール部２１Ｓと、前後方向の直線状シール部２１Ｓの端部と左右方向の直線状シール部２１Ｓの端部を滑らかに繋ぐ略四半円弧形をなす４つの弧状シール部２１Ｒとから構成されている。各直線状シール部２１Ｓには、夫々、上面（インバータケース２０１との対向面）から下面（モータケース１０１との対向面）へ貫通した形態の複数の収容空間２２が形成されている。
【００３１】
シールド機能部品２３は、細長い金属線材を曲げ加工して成形された単一部品である。シールド機能部品２３は、複数のコイル状接触部２４と、隣り合うコイル状接触部２４同士を繋ぐ複数の線状連結部２５を、交互に且つ直列状に並ぶように配した形態である。各コイル状接触部２４は、夫々、収容空間２２内に配されている。線状連結部２５は、防水機能部品２１のうち隣り合う収容空間２２を区画する壁部２６内に埋設されている。このシールド機能部品２３は、防水機能部品２１を金型（図示省略）で成形する工程でインサート成形により防水機能部品２１と一体化されている。インサート成形によって一体化したので、別体部品として成形された防水機能部品とシールド機能部品を組み付ける場合に比べると、防水機能部品２１とシールド機能部品２３の形状を簡素化できる。
【００３２】
モータ１００にインバータ装置２００を接続すると、図６に示すように、機器用弾性シールド部材２０がモータケース１０１の上面とインバータケース２０１の下面との間で挟み付けられる。これにより、ゴム製の防水機能部品２１が上下に圧縮されて弾性変形し、防水機能部品２１の下面と上面が、夫々、全周に亘り、モータケース１０１の上面とインバータケース２０１の下面に対し弾性的に且つ液密状に密着する。この防水機能部品２１により、両端子金具１０２，２０２が収容されている封止空間３０１内を防水することができる。また、シールド機能部品２３のコイル状接触部２４が、上下に潰れるように弾性変形させられ、その弾性復元力により、コイル状接触部２４の上下両端部が、両ケース１０１，２０１に対し弾性的に接触する。このシールド機能部品２３により、両端子金具１０２，２０２を流れる電流に重畳するノイズの機器用弾性シールド部材２０（封止空間３０１）外への漏出が防止される。
【００３３】
＜実施例２＞
次に、本発明を具体化した実施例２について図７を参照して説明する。本実施例２の機器用弾性シールド部材３０は、１つの防水機能部品３１と、複数のシールド機能部品３５とから構成されている。尚、上記参考例１と同じ構成については、同一符号を付し、構造、作用及び効果の説明は省略する。
【００３４】
防水機能部品３１は、ゴム製であり、参考例１と同様、平面視形状は略方形の枠状（リング状）をなしている。防水機能部品３１には、その下面（モータケースとの対向面）を凹ませた形態の複数の下部収容空間３２が、周方向に適宜間隔を空けて形成されている。同じく防水機能部品３１には、その上面（インバータケースとの対向面）のうち下部収容空間３２と対応する領域を凹ませた形態の複数の上部収容空間３３が形成されている。上部収容空間３３と下部収容区間は、隔壁部３４で区画されている。
【００３５】
シールド機能部品３５は、対称形状の一対の金属板材から構成されている。シールド機能部品３５は、金属板材のうち上下方向中央部同士を溶接等で固着した基部３６と、基部３６から上方へ弧状に延出する一対の上部弾性接触片３７（請求項に記載の弾性接触片）と、基部３６から下方へ弧状に延出する一対の下部弾性接触片３８（請求項に記載の弾性接触片）とから構成されている。複数のシールド機能部品３５は、インサート成形により、基部３６を隔壁部３４内に埋設させた状態で防水機能部品３１と一体化されている。上部弾性接触片３７は、上部収容空間３３内に収容され、下部弾性接触片３８は、下部収容空間３２内に収容される。
【００３６】
モータ１００とインバータ装置２００を接続すると、機器用弾性シールド部材３０がモータケース１０１の上面とインバータケース２０１の下面との間で挟み付けられる。これにより、防水機能部品３１の下面と上面が、夫々、全周に亘り、モータケース１０１の上面とインバータケース２０１の下面に対し弾性的に且つ液密状に密着し、両端子金具１０２，２０２を収容する封止空間３０１内が防水状態に保持される。また、複数のシールド機能部品３５は、夫々、その上下両弾性接触片３７，３８を両ケース１０１，２０１に接触させる。このとき、両弾性接触片３７，３８は弾性変形させられるので、それ自身の弾性復元力により両ケース１０１，２０１に対して弾性的に且つ確実に当接する。このシールド機能部品３５により、両端子金具１０２，２０２を流れる電流に重畳するノイズの機器用弾性シールド部材３０（封止空間）外への漏出が防止される。
【００３７】
＜実施例３＞
次に、本発明を具体化した実施例３について図８を参照して説明する。本実施例３の機器用弾性シールド部材４０は、１つの防水機能部品４１と、複数のシールド機能部品４５とから構成されている。尚、上記参考例１と同じ構成については、同一符号を付し、構造、作用及び効果の説明は省略する。
【００３８】
防水機能部品４１は、ゴム製であり、参考例１と同様、平面視形状は略方形の枠状（リング状）をなしている。防水機能部品４１には、その下面（モータケースとの対向面）を凹ませた形態の複数の下部収容空間４２が、周方向に適宜間隔を空けて形成されている。同じく防水機能部品４１には、その上面（インバータケースとの対向面）のうち下部収容空間４２と対応する領域を凹ませた形態の複数の上部収容空間４３が形成されている。上部収容空間４３と下部収容区間は、隔壁部４４で区画されている。
【００３９】
シールド機能部品４５は、軸線を上下方向に向けたコイル４６と、コイル４６の上下両端部に溶接等により導通可能に固着された上下一対の接触板４７とから構成されている。上側の接触板４７には上方へ突出するエンボス状の接点部４８が形成され、下側の接触板４７には下方へ突出するエンボス状の接点部４８が形成されている。複数のシールド機能部品４５は、インサート成形により、コイル４６の上下方向中央部を隔壁部４４内に埋設させた状態で防水機能部品４１と一体化されている。コイル４６の上端部は上部収容空間４３内に収容され、コイル４６の下端部は下部収容空間４２内に収容される。
【００４０】
モータ１００とインバータ装置２００を接続すると、機器用弾性シールド部材４０がモータケース１０１の上面とインバータケース２０１の下面との間で挟み付けられる。これにより、防水機能部品４１の下面と上面が、夫々、全周に亘り、モータケース１０１の上面とインバータケース２０１の下面に対し弾性的に且つ液密状に密着し、両端子金具１０２，２０２を収容する封止空間３０１内が防水状態に保持される。また、複数のシールド機能部品４５は、夫々、その上下両接触板４７の接点部４８を両ケース１０１，２０１に接触させる。このとき、コイル４６が上下に潰されるように弾性変形させられるので、その弾性復元力により両接触板４７は、両ケース１０１，２０１に対して弾性的に且つ確実に当接する。このシールド機能部品４５により、両端子金具１０２，２０２を流れる電流に重畳するノイズの機器用弾性シールド部材４０（封止空間）外への漏出が防止される。
【００４１】
＜実施例４＞
次に、本発明を具体化した実施例４について図９を参照して説明する。本実施例４の機器用弾性シールド部材５０は、１つの防水機能部品５１と、複数のシールド機能部品５６とから構成されている。尚、上記参考例１と同じ構成については、同一符号を付し、構造、作用及び効果の説明は省略する。
【００４２】
防水機能部品５１は、ゴム製であり、参考例１と同様、平面視形状は略方形の枠状（リング状）をなしている。防水機能部品５１には、その下面（モータケースとの対向面）を凹ませた形態の複数の下部収容空間５２が、周方向に適宜間隔を空けて形成されている。同じく防水機能部品５１には、その上面（インバータケースとの対向面）のうち下部収容空間５２と対応する領域を凹ませた形態の複数の上部収容空間５３が形成されている。上部収容空間５３と下部収容区間は、隔壁部５４で区画されている。隔壁部５４には、上下両収容空間５２，５３を連通させる連通孔５５が形成されている。
【００４３】
シールド機能部品５６は、編組線からなる弾性支持体５７と、弾性支持体５７の上下両端部に溶接等により導通可能に固着された上下一対の接触板５８とから構成されている。両接触板５８は、連通孔５５の内径よりも外径の大きい円板状をなしている。上側の接触板５８には上方へ突出するエンボス状の接点部５９が形成され、下側の接触板５８には下方へ突出するエンボス状の接点部５９が形成されている。複数のシールド機能部品５６は、防水機能部品５１とは別個に製造されたものである。
【００４４】
シールド機能部品５６を防水機能部品５１に組み付ける際には、隔壁部５４を弾性変形させながら連通孔５５を拡開させ、その拡げた連通孔５５に、一方の接触板５８を通過させる。接触板５８を通過させた後は、連通孔５５の拡開を解除する。これにより、連通孔５５に弾性支持体５７が貫通した状態で、シールド機能部品５６が防水機能部品５１に一体化される。弾性支持体５７の上端部は上部収容空間５３内に収容され、弾性支持体５７の下端部は下部収容空間５２内に収容される。
【００４５】
モータ１００とインバータ装置２００を接続すると、機器用弾性シールド部材５０がモータケース１０１の上面とインバータケース２０１の下面との間で挟み付けられる。これにより、防水機能部品５１の下面と上面が、夫々、全周に亘り、モータケース１０１の上面とインバータケース２０１の下面に対し弾性的に且つ液密状に密着し、両端子金具１０２，２０２を収容する封止空間３０１内が防水状態に保持される。また、複数のシールド機能部品５６は、夫々、その上下両接触板５８の接点部５９を両ケース１０１，２０１に接触させる。このとき、弾性支持体５７が湾曲するように弾性変形させられるので、その弾性復元力により両接触板５８は、両ケース１０１，２０１に対して弾性的に且つ確実に当接する。このシールド機能部品５６により、両端子金具１０２，２０２を流れる電流に重畳するノイズの機器用弾性シールド部材５０（封止空間）外への漏出が防止される。
【００４６】
＜実施例５＞
次に、本発明を具体化した実施例５について図１０〜図１３を参照して説明する。本実施例５の機器用弾性シールド部材６０は、１つの防水機能部品６１と、複数のシールド機能部品６５とから構成されている。尚、上記参考例１と同じ構成については、同一符号を付し、構造、作用及び効果の説明は省略する。
【００４７】
防水機能部品６１は、ゴム製であり、図１０に示すように、平面視形状は略方形の枠状（リング状）をなしている。図１１〜１３に示すように、防水機能部品６１には、その下面（モータケースとの対向面）を全周に亘って凹ませた形態の１本の下部収容溝６２が形成されている。同じく防水機能部品６１には、その上面（インバータケースとの対向面）を全周に亘って凹ませた形態の１本の上部収容溝６３が形成されている。上部収容溝６３と下部収容溝６２は、隔壁部６４で区画されている。
【００４８】
シールド機能部品６５は、略平板状をなす金属板材からなる。シールド機能部品６５は、その板面を上下方向（モータケース１０１とインバータケース２０１が対向する方向）及び水平方向の両方向に対して斜めをなす姿勢で、インサート成形により防水機能部品６１と一体化されている。シールド機能部品６５の上下方向における中央部が、隔壁部６４内に埋設されて固着されている。シールド機能部品６５の上端部は、上部収容溝６３内に収容され、シールド機能部品６５の下端部は下部収容溝６２内に収容されている。
【００４９】
モータ１００とインバータ装置２００を接続すると、機器用弾性シールド部材６０がモータケース１０１の上面とインバータケース２０１の下面との間で挟み付けられる。これにより、防水機能部品６１の下面と上面が、夫々、全周に亘り、モータケース１０１の上面とインバータケース２０１の下面に対し弾性的に且つ液密状に密着し、両端子金具１０２，２０２を収容する封止空間３０１内が防水状態に保持される。
【００５０】
また、複数のシールド機能部品６５は、夫々、その上端縁をインバータケース２０１の下面に当接させるとともに、下端縁をモータケース１０１の上面に当接させる。このとき、図１３に示すように、シールド機能部品６５は両ケース１０１，２０１の間に挟まれて上下に押圧されるので、水平方向を基準とするシールド機能部品６５の傾斜角度が小さくなる。そして、シールド機能部品６５の上下方向中央部は隔壁部６４に固着されているので、シールド機能部品６５の姿勢の傾き（変化）に伴い、隔壁部６４が波打つように弾性変形させられる。
【００５１】
つまり、シールド機能部品６５は、防水機能部品６１の隔壁部６４を弾性変形させるように姿勢を変化させた状態で両ケース１０１，２０１に接触する。したがって、隔壁部６４の弾性復元力により、シールド機能部品６５の上下両端縁は、両ケース１０１，２０１に対して弾性的に且つ確実に当接する。このシールド機能部品６５により、両端子金具１０２，２０２を流れる電流に重畳するノイズの機器用弾性シールド部材６０（封止空間）外への漏出が防止される。
【００５２】
＜実施例６＞
次に、本発明を具体化した実施例６について図１４〜図１７を参照して説明する。本実施例６の機器用弾性シールド部材７０は、１つの防水機能部品７１と、複数のシールド機能部品７５とから構成されている。尚、上記参考例１と同じ構成については、同一符号を付し、構造、作用及び効果の説明は省略する。
【００５３】
防水機能部品７１は、ゴム製であり、図１４に示すように、平面視形状は略方形の枠状（リング状）をなしている。図１５〜１７に示すように、防水機能部品７１には、その下面（モータケースとの対向面）を全周に亘って凹ませた形態の１本の下部収容溝７２が形成されている。同じく防水機能部品７１には、その上面（インバータケースとの対向面）を全周に亘って凹ませた形態の１本の上部収容溝７３が形成されている。上部収容溝７３と下部収容溝７２は、隔壁部７４で区画されている。
【００５４】
シールド機能部品７５は、金属板材を曲げ加工して成形された単一部品である。シールド機能部品７５は、折返部７６と、折返部７６から下方へ延出する一対の脚部７７と、両脚部７７の下端から斜め下方へ片持ち状に延出した形態の一対の弾性接触片７８とから構成されている。一対の弾性接触片７８は、上下方向（モータケース１０１とインバータケース２０１の対向方向）及び水平方向の両方向に対して斜めをなしている。一対の弾性接触片７８は、その対向間隔が下方に向かって次第に拡大するような形態となっている。
【００５５】
シールド機能部品７５は、インサート成形により防水機能部品７１と一体化されている。脚部７７の下端側領域は、隔壁部７４内に埋設されて固着されている。脚部７７の上端部と折返部７６は上部収容溝７３内に収容され、一対の弾性接触片７８は下部収容溝７２内に収容されている。
【００５６】
モータ１００とインバータ装置２００を接続すると、機器用弾性シールド部材７０がモータケース１０１の上面とインバータケース２０１の下面との間で挟み付けられる。これにより、防水機能部品７１の下面と上面が、夫々、全周に亘り、モータケース１０１の上面とインバータケース２０１の下面に対し弾性的に且つ液密状に密着し、両端子金具１０２，２０２を収容する封止空間３０１内が防水状態に保持される。
【００５７】
また、複数のシールド機能部品７５は、夫々、その上端の折返部７６をインバータケース２０１の下面に当接させるとともに、弾性接触片７８の下端縁をモータケース１０１の上面に当接させる。このとき、シールド機能部品７５は両ケース１０１，２０１の間に挟まれて上下に押圧させるので、図１７に示すように、一対の脚部７７が折返部７６を支点として拡開するように変位するとともに、一対の弾性接触片７８が、水平方向を基準とする傾斜角度を小さくするように姿勢を傾ける。両脚部７７の下端側領域は隔壁部７４に固着されているので、シールド機能部品７５の変形と姿勢の傾きに伴い、隔壁部７４が波打つように弾性変形させられる。
【００５８】
つまり、シールド機能部品７５は、防水機能部品７１の隔壁部７４を弾性変形させるように姿勢を変化させた状態で両ケース１０１，２０１に接触する。したがって、隔壁部７４の弾性復元力により、シールド機能部品７５の上下両端縁は、両ケース１０１，２０１に対して弾性的に且つ確実に当接する。このシールド機能部品７５により、両端子金具１０２，２０２を流れる電流に重畳するノイズの機器用弾性シールド部材７０（封止空間）外への漏出が防止される。
【００５９】
＜他の実施例＞
本発明は上記記述及び図面によって説明した実施例に限定されるものではなく、例えば次のような実施例も本発明の技術的範囲に含まれる。
（１）上記実施例１〜６では、電気機器がインバータ装置とモータである場合について説明したが、本発明は、電気機器がインバータ装置及びモータとは異なる機器である場合にも適用できる。
（２）上記実施例１〜６では、第１端子金具と第２端子金具の両方が対向空間内に配されるようにしたが、これに限らず、対向空間内には、第１端子金具と第２端子金具のうちいずれか一方の端子金具のみが配されるものであってもよい。この場合、対向空間内に配された端子金具は、相手側のシールドケース内に進入して相手側の端子金具と接続する。
【符号の説明】
【００６０】
１０，２０，３０，４０，５０，６０，７０…機器用弾性シールド部材
１１，２１，３１，４１，５１，６１，７１…防水機能部品
１２…嵌合溝（嵌合部）
１３，２３，３５，４５，５６，６５，７５…シールド機能部品
１６…嵌合リブ（嵌合部）
３７…上部弾性接触片（弾性接触片）
３８…下部弾性接触片（弾性接触片）
７８…弾性接触片
１００…モータ（第１電気機器）
１０１…モータケース（第１シールドケース）
１０２…第１端子金具（導電路）
２００…インバータ装置（第２電気機器）
２０１…インバータケース（第２シールドケース）
２０２…第２端子金具（導電路）
３００…対向空間
【図１】
0006520425.tif 000002
【図２】
0006520425.tif 000003
【図３】
0006520425.tif 000004
【図４】
0006520425.tif 000005
【図５】
0006520425.tif 000006
【図６】
0006520425.tif 000007
【図７】
0006520425.tif 000008
【図８】
0006520425.tif 000009
【図９】
0006520425.tif 000010
【図１０】
0006520425.tif 000011
【図１１】
0006520425.tif 000012
【図１２】
0006520425.tif 000013
【図１３】
0006520425.tif 000014
【図１４】
0006520425.tif 000015
【図１５】
0006520425.tif 000016
【図１６】
0006520425.tif 000017
【図１７】
0006520425.tif 000018